(57)【要約】【課題】燃焼器を内部に有するとともに、燃焼器からの燃焼排ガスが、燃焼装置の燃焼排ガスと合流するよう構成された発電システムにおいて、従来よりも燃焼器の着火性を向上させる。【解決手段】燃焼器を備える発電ユニットと、燃焼器から排出される燃焼排ガスが流れる第１の排ガス流路と、制御器とを備え、第１の排ガス流路は、熱負荷に供給する熱を生成する燃焼装置からの燃焼排ガスが流れる第２の排ガス流路が接続されたダクトに接続されており、燃焼装置の燃焼動作時に燃焼器の着火動作を開始する場合、制御器は、燃焼器の着火動作時において、燃焼装置の出力を燃焼器の着火動作開始前よりも低下するよう制御する発電システム。【選択図】図１
2012159274.tif 000002
【特許請求の範囲】
【請求項１】
燃焼器を備える発電ユニットと、前記燃焼器から排出される燃焼排ガスが流れる第１の排ガス流路と、制御器とを備え、前記第１の排ガス流路は、熱負荷に供給する熱を生成する燃焼装置からの燃焼排ガスが流れる第２の排ガス流路に連通しており、前記燃焼装置の燃焼動作時に前記燃焼器の着火動作を開始する場合、前記制御器は、前記燃焼器の着火動作時において、前記燃焼装置の出力を前記燃焼器の着火動作開始前よりも低下するよう制御する発電システム。
【請求項２】
前記燃焼器に供給する燃料ガスの流量を調整する第１の流量調整器と、
前記燃焼器に供給する燃焼用空気の流量を調整する第２の流量調整器とを備え、
前記制御器は、前記燃焼器の着火動作時の空気比が、前記燃焼装置の停止時における前記燃焼器の着火動作時の空気比よりも低下するよう、前記第１の流量調整器及び前記第２の流量調整器の少なくともいずれか一方を制御する、請求項１記載の発電システム。
【請求項３】
前記制御器は、前記燃焼器の着火動作時において、前記燃焼装置の燃焼動作を停止させることを特徴とする請求項１に記載の発電システム。
【請求項４】
前記制御器は、前記燃焼装置の燃焼動作の停止後に前記燃焼装置内を燃焼用空気でポストパージした後、前記燃焼器の着火動作を開始するよう制御する、請求項３記載の発電システム。
【請求項５】
前記制御器は、前記燃焼器の着火動作完了後、前記燃焼器の着火動作時における前記燃焼装置の出力の制限を解除する請求項１−４のいずれかに記載の発電システム。
【請求項６】
前記燃焼装置の運転状態を画面に表示する表示器を備え、
前記制御器は、前記燃焼器の着火動作時において、前記表示器に前記燃焼装置が出力低下している旨を表示させる請求項１−４のいずれかに記載の発電システム。
【請求項７】
発電ユニット内に設けられた燃焼器からの燃焼排ガスが、燃焼装置からの燃焼排ガスと合流するステップと、
前記燃焼器の着火動作を行うステップと、
前記燃焼装置の燃焼動作時に前記燃焼器の着火動作を開始する場合、前記燃焼器の着火動作時において、前記燃焼装置の出力を前記燃焼器の着火動作開始前よりも低下させるステップとを備える発電システムの運転方法。
【請求項８】
前記燃焼器の着火動作時の空気比が、前記燃焼装置の停止時における燃焼器の着火動作時の空気比よりも低下するよう、前記燃焼器へ供給される燃料ガスの量及び前記燃焼器へ供給される燃焼用空気の量の少なくともいずれか一方を制御するステップを備える、請求項７載の発電システムの運転方法。
【請求項９】
前記燃焼装置の出力を低下させるステップとは、前記燃焼装置の燃焼動作を停止させるステップである、請求項７記載の燃料電池システムの運転方法。
【請求項１０】
前記燃焼器の着火動作において、前記燃焼装置の燃焼動作の停止後に前記燃焼装置内を燃焼用空気でポストパージした後、前記燃焼器の着火動作を開始する、請求項９に記載の発電システムの運転方法。
【請求項１１】
前記燃焼器の着火動作完了後、前記燃焼器の着火動作時における前記燃焼装置の出力の制限を解除するステップを備える請求項７−１０のいずれかに記載の発電システムの運転方法。
【請求項１２】
前記燃焼器の着火動作時において、表示器の画面に前記燃焼装置が出力低下している旨を表示するステップを備える請求項７−１０のいずれかに記載の発電システムの運転方法。
【発明の詳細な説明】
【技術分野】
【０００１】
本発明は、燃焼器を内部に有するとともに、排ガス流路が、燃焼装置と共通のダクトに接続される発電システム関する。
【背景技術】
【０００２】
従来、建物の内部に配置された燃料電池を備える発電装置で生じた排ガスの排出性能を向上することを目的として、上下方向に延びるダクトに排ガス流路を接続する発電装置が知られている（例えば、特許文献１参照）。
【０００３】
また、燃料電池を備える発電装置は、起動時に燃料電池に改質ガスを供給する改質器のバーナに着火し、改質器を改質反応に適した所定の温度にまで昇温することが知られている（例えば、特許文献２参照）。
【０００４】
また、ガスエンジン発電装置は、起動時にガスエンジンを点火して、ガスエンジンの燃焼に伴う回転駆動により発電することが知られている（例えば、特許文献３参照）。
【先行技術文献】
【特許文献】
【０００５】
【特許文献１】特開２００８−２１０６３１号公報
【特許文献２】特開２００４−２８３０７１号公報
【特許文献３】特開２００７−２０５２９３号公報
【発明の概要】
【発明が解決しようとする課題】
【０００６】
ところで、特許文献１に記載された発電装置では、燃料電池の排ガスがダクトに接続するよう構成されている。このような発電装置の外部に熱負荷へ熱を供給するための燃焼装置（以下、燃焼装置）がある場合、燃焼装置の排ガス流路もダクトに接続されると想定される。このような形態において、燃焼装置が稼動していると、ダクトを介して燃焼器の排ガス流路の背圧が高まり、特許文献２及び特許文献３に記載のような、燃焼器の着火動作に悪影響が生じる可能性があるが、従来の発電装置はその点について検討されていない。
【０００７】
本発明はこのような課題を解決するためになされたものであり、燃焼器を内部に有するとともに、燃焼器からの燃焼排ガスが、燃焼装置の燃焼排ガスと合流するよう構成された発電システムにおいて、従来よりも燃焼器の着火性が向上する発電システム及びその運転方法を提供することを目的とする。
【課題を解決するための手段】
【０００８】
上記課題を解決するために、本発明の発電システムは、燃焼器を備える発電ユニットと、前記燃焼器から排出される燃焼排ガスが流れる第１の排ガス流路と、制御器とを備え、前記第１の排ガス流路は、熱負荷に供給する熱を生成する燃焼装置からの燃焼排ガスが流れる第２の排ガス流路が接続されたダクトに接続されており、前記燃焼装置の燃焼動作時に前記燃焼器の着火動作を開始する場合、前記制御器は、前記燃焼器の着火動作時において、前記燃焼装置の出力を前記燃焼器の着火動作開始前よりも低下するよう制御する。
【０００９】
また、本発明の発電システムの運転方法は、発電ユニット内に設けられた燃焼器からの燃焼排ガスが、燃焼装置からの燃焼排ガスと合流するステップと、前記燃焼器の着火動作を行うステップと、前記燃焼装置の燃焼動作時に前記燃焼器の着火動作を開始する場合、前記燃焼器の着火動作時において、前記燃焼装置の出力を前記燃焼器の着火動作開始前よりも低下させるステップとを備える。
【発明の効果】
【００１０】
本発明により、燃焼器を内部に有するとともに、燃焼器からの燃焼排ガスが、燃焼装置の燃焼排ガスと合流するよう構成された発電システムにおいて、従来よりも燃焼器の着火性が向上する。
【図面の簡単な説明】
【００１１】
【図１】実施の形態１に係る発電システムの概略構成を模式的に示す図
【図２】実施の形態１に係る発電システムの概略構成の一例を示すブロック図
【図３】実施の形態１に係る発電システムの動作の一例を示すフロー図
【図４】実施の形態１の変形例２に係る発電システムの動作の一例を示すフロー図
【図５】実施の形態２に係る発電システムの概略構成の一例を示すブロック図
【図６】実施の形態３に係る発電システムの概略構成の一例を示すブロック図
【図７】実施の形態３に係る発電システムのリモコンの表示例を示す図
【発明を実施するための形態】
【００１２】
以下、具体的に実施の形態を、図面を参照しながら説明する。
【００１３】
（実施の形態１）
実施の形態１の発電システムは、燃焼器を備える発電ユニットと、燃焼器から排出される燃焼排ガスが流れる第１の排ガス流路と、制御器とを備え、第１の排ガス流路は、熱負荷に供給する熱を生成する燃焼装置からの燃焼排ガスが流れる第２の排ガス流路と連通しており、燃焼装置の燃焼動作時に燃焼器の着火動作を開始する場合、制御器は、燃焼器の着火動作時において、燃焼装置の出力を燃焼器の着火動作開始前よりも低下するよう制御する。
【００１４】
実施の形態１の発電システムの運転方法は、発電ユニット内に設けられた燃焼器からの燃焼排ガスが、燃焼装置からの燃焼排ガスと合流するステップと、燃焼器の着火動作を行うステップと、燃焼装置の燃焼動作時に前記燃焼器の着火動作を開始する場合、燃焼器の着火動作時において、燃焼装置の出力を燃焼器の着火動作開始前よりも低下させるステップとを備える。
【００１５】
かかる構成により、燃焼器を内部に有するとともに、排ガス流路が、燃焼装置と共通のダクトに接続される発電システムにおいて、従来よりも燃焼器の着火性が向上する。
【００１６】
ここで、第１の排ガス流路が第２の排ガス流路と「連通する」とは、第１の排ガス流路と第２の排ガス流路が直接、接続する形態と、第１の排ガス流路と第２の排ガス流路とがダクトを介して連通する形態とを含む。
【００１７】
ここで、燃焼装置の出力の低下には、燃焼装置の燃焼量の低下だけでなく燃焼装置の燃焼動作の停止も含む。
【００１８】
実施の形態１の発電システムは、制御器は、燃焼器の着火動作完了後、燃焼器の着火動作時における燃焼装置の出力の制限を解除してもよい。
【００１９】
実施の形態１の発電システムの運転方法は、燃焼器の着火動作完了後、燃焼器の着火動作時における燃焼装置の出力の制限を解除するステップを備えてもよい。
【００２０】
かかる構成により、着火動作完了後、熱負荷需要に対して燃焼装置が必要な出力で運転できるので、好ましい。
【００２１】
次に、実施の形態１における発電システムの詳細について説明する。
【００２２】
［構成］
図１は実施の形態１に係る発電システムの概略構成の一例を示すブロック図である。
【００２３】
図１に示すように、発電システム１０１は、燃焼器３を備える発電ユニット１と、第１の排ガス流路４と、制御器２２とを備える。
【００２４】
発電ユニット１は、燃焼器３を備える発電ユニットであり、例えば、燃料電池ユニット、ガスエンジン発電ユニット等が例示される。発電ユニット１は発電動作において排ガスを排出する。
【００２５】
燃焼器３は、可燃性ガスを燃焼する燃焼器であり、このような燃焼器３として、ガスエンジン発電機におけるガスエンジン、燃料電池におけるアノードオフガスの燃焼器、燃料電池の発電に利用される水素含有ガスを生成する改質器を加熱する燃焼器等が例示される。
【００２６】
第１の排ガス流路４は、燃焼器３から排出される燃焼排ガスが流れるガス流路であり、第２の排ガス流路６と接続し。合流箇所２１において、第１の排ガス流路４と第２の排ガス流路６とは合流している。合流後の第１の排ガス流路４及び第２の排ガス流路６は、ダクト１１に接続し、ダクトを介して外気に燃焼排ガスが排出される。
【００２７】
なお、第１の排ガス流路４と第２の排ガス流路６とが直接接続せず、図２に示すように第１の排ガス流路４と第２の排ガス流路６とがそれぞれ独立してダクト１１に接続し、第１の排ガス流路４と第２の排ガス流路６とがダクト１１を介して連通するよう構成されていてもよい。つまり、第１の排ガス流路４と第２の排ガス流路６とが連通していれば、いずれの形態であっても構わない。
【００２８】
第２の排ガス流路６は、燃焼装置５からの燃焼排ガスが流れる流路である。
【００２９】
燃焼装置５は、燃料ガスを燃焼させて、熱負荷（図示せず）に供給するための熱を発生する装置である。燃焼装置５として、ボイラー、給湯器等が例示される。燃焼装置５は、燃焼動作時に燃料ガスを燃焼させて水を含んだ燃焼排ガス（以下、燃焼排ガスという）を排出する。熱負荷（図示せず）としては、暖房、風呂、シャワー等が例示される。
【００３０】
制御器２２は、燃焼装置５の動作を制御する。制御器は、制御機能を有するものであればよく、演算処理部（図示せず）と、制御プログラムを記憶する記憶部（図示せず）とを備える。演算処理部としては、ＭＰＵ、ＣＰＵが例示される。記憶部としては、メモリーが例示される。制御器は、集中制御を行う単独の制御器で構成されていてもよく、互いに協働して分散制御を行う複数の制御器で構成されていてもよい。集中制御の場合は、制御器２２が直接、燃焼装置５の制御を行い、分散制御の場合は、制御器２２は、燃焼装置５の制御を行う制御器（図示せず）を介して間接的に燃焼装置５の制御を行う。
【００３１】
また、発電システム１０１は、燃焼装置５のＯＮ（燃焼動作の実行）を検知する、図示されないＯＮ検知器を備える。ＯＮ検知器は、例えば、燃焼装置５から出力される燃焼装置５のＯＮ信号を取得する信号取得器、燃焼装置５から排出される燃焼排ガスの圧力を検知する圧力検知器等で構成される。
【００３２】
なお、本例では、燃焼装置５及び第２の排ガス流路６を発電システム１０１に含まれない構成として説明しているが、これらを発電システム１０１に含む形態を採用しても構わない。
【００３３】
［動作］
次に、以上のように構成された発電システム１０１における制御器２２の制御を、図３を用いて説明する。
【００３４】
図３は、本実施の形態の発電システム１０１の動作の一例を示すフロー図である。
【００３５】
この制御は、発電システム１０１の運転状態に依らず、燃焼器３の燃焼動作を開始するための着火動作を行う際に実行されるが、運転状態に応じて実行の有無が制御される形態を採用しても構わない。ここで、上記運転状態とは、例えば、発電システム１０１の起動動作、発電運転、停止動作、及び待機状態等が挙げられる。ここで、待機状態とは、発電システム１０１の停止動作が完了して、次の起動を待機している状態を言う。発電システム１０１が起動されると、発電ユニット１は発電を行う。
【００３６】
一方、図３に示すように、制御器２２は、ＯＮ検知器（図示せず）の検出値に基づき燃焼装置５がＯＮ（燃焼動作を実行）しているか否か判定する（ステップＳ１）。燃焼装置５がＯＮしている場合（ステップＳ１においてＹＥＳ）には、制御器２２は、燃焼装置５の出力が低下するよう制御する（ステップＳ２）。本例では、燃焼装置５内に設けられた制御器（図示せず）に燃焼装置５の出力を制御するよう指示する。これにより、燃焼装置５は、制御器（図示せず）により燃焼装置５の出力が低下するように制御される。本例では、制御器（図示せず）により燃焼装置５に供給される可燃性ガスの供給量が低下するよう制御され、燃焼装置５の燃焼量が低下する。ここで、第２の排ガス流路６を流れる燃焼排ガスの流量が低下するため、第１の排ガス流路４の背圧も低下する。なお、燃焼装置５に供給される可燃性ガスの供給量の低下とともに燃焼用空気の供給量を低下させると、燃焼器３の着火動作時に、第１の排ガス流路４の背圧がより低下して、好ましい。ここで、可燃性ガスの供給量及び燃焼用空気の供給量は、それぞれ、図示されない流量調整器により調整される。流量調整器としては、流量調整弁及びポンプのいずれか、もしくはこれらの組合せが用いられる。
【００３７】
制御器２２は、燃焼装置５の出力を低下させた後、着火器（図示せず）を用いて燃焼器３の着火動作を実行する（ステップＳ３）。なお、本ステップにおいて、燃焼装置５の出力は、ステップＳ２で低下された出力以下で運転するよう出力が制限されている。着火動作時に火炎検知器（図示せず）により燃焼器３が着火したことが検知されると、制御器２２は、着火動作を停止するとともに、燃焼装置５の出力制限を解除する（ステップＳ４）。本例では、燃焼装置５の出力制限を解除する信号を燃焼装置５の制御器（図示せず）に出力する。燃焼装置５の制御器（図示せず）は、燃焼装置５の出力制限を解除するとともに、熱負荷需要に対して必要な熱を供給するための出力に変更する。なお、本例では、燃焼装置５の出力を低下させた後に、燃焼器３の着火動作を実行するフローであるが、これらのタイミングは同時であってもよいし、逆であっても構わない。つまり、燃焼器３の着火動作において着火動作前よりも燃焼装置５の出力が低下していれば、上記ステップＳ２及びＳ３を実行するタイミングは任意である。
【００３８】
一方、ステップＳ１において、燃焼装置５がＯＮしていない場合（ステップＳ１においてＮＯ）には、制御器２２は、着火器（図示せず）を用いて燃焼器３の着火動作を実行する（ステップＳ５）。そして、火炎検知器（図示せず）により燃焼器３が着火したことが検知されると、制御器２２は、着火動作を停止する。
【００３９】
なお、上記フローでは、ステップＳ４を実行しているが、ステップＳ４を実行せず、燃焼器３の着火動作完了後も、燃焼器３の燃焼が安定するまで、燃焼装置５の出力の制限を維持する形態を採用しても構わない。
【００４０】
次に本実施の形態１における変形例を説明する。
【００４１】
［変形例］
本変形例の発電システムは、実施の形態１の発電システムにおいて、制御器は、燃焼器の着火動作時において、燃焼装置の燃焼動作を停止させることを特徴とする。
【００４２】
本変形例の発電システムの運転方法は、実施の形態１の発電システムの運転方法において、燃焼装置の出力を低下させるステップとは、燃焼装置の燃焼動作を停止させるステップであることを特徴とする。
【００４３】
かかる構成により、燃焼装置５の燃焼動作に起因する第１の排ガス流路４の背圧の上昇がなくなるため、燃焼装置５の燃焼量を低下する実施の形態１の発電システムに比べ、燃焼器３の着火性がより向上し、好ましい。
【００４４】
本変形例の発電システムは、上記特徴以外は、実施の形態１の発電システムと同様に構成されていてもよい。
【００４５】
次に、本変形例の発電システム１０１について詳細に説明する。
【００４６】
本変形例の発電システムは、実施の形態１の発電システムにおいて、制御器は、燃焼装置の燃焼動作の停止後に燃焼装置内を燃焼用空気でポストパージした後、燃焼器の着火動作を開始するよう制御してもよい。
【００４７】
本変形例の発電システムの運転方法は、実施の形態１の発電システムの運転方法において、前記燃焼器の着火動作において、前記燃焼装置の燃焼動作の停止後に前記燃焼装置内を燃焼用空気でポストパージした後、前記燃焼器の着火動作を開始してもよい。
【００４８】
かかる構成により、燃焼装置５のポストパージに起因する第１の排ガス流路４の背圧の上昇がない状態で、着火動作が実行されるため、ポストパージ中に着火動作を実行する場合に比べ、燃焼器３の着火性が向上し、より好ましい。
【００４９】
本変形例の発電システムは、上記特徴以外は、実施の形態１の燃料電池システムと同様に構成されていてもよい。
【００５０】
本変形例の発電システム１０１は、実施の形態１の発電システムと同様の構成を有するのでその説明を省略し、本変形例の発電システム１０１の動作について説明する。
【００５１】
図４は、実施の形態１の変形例における発電システム１０１の動作の一例を示すフロー図である。
【００５２】
本変形例の発電システム１０１は、図４に示すように、燃焼装置５がＯＮ（燃焼動作を実行）していることを検知したときに（ステップＳ１でＹｅｓ）、燃焼装置５の燃焼動作を停止すること（ステップＳ６）、燃焼器３の着火後（ステップＳ３）、燃焼装置５の燃焼動作を再開する（ステップＳ７）点を除いては、図３と同様に動作する。
【００５３】
なお、本例では、ステップＳ７において、制御器２２が燃焼器３の着火動作の完了とともに燃焼装置５の燃焼動作を再開するよう制御しているが、ステップＳ７を設けずに、操作者の手動操作等により新規に運転再開の指示があるまでは、燃焼装置５を停止したままにする形態を採用しても構わない。
【００５４】
なお、燃焼装置５の停止時には、停止動作として一般的に燃焼用空気によるポストパージが実行され、これにより第１の排ガス流路４の背圧が上昇するため、制御器２２は、燃焼装置５よりポストパージ完了の信号を取得してから燃焼器３の着火動作を開始するよう制御することが好ましい。しかしながら、燃焼装置５の着火動作前の背圧に比べてポストパージ中の背圧が低い場合は、ポストパージ中に燃焼器３の着火動作を実行する形態を採用しても構わない。
【００５５】
（実施の形態２）
実施の形態２の発電システムは、燃焼器に供給する可燃性ガスの流量を調整する第１の流量調整器と、燃焼器に供給する燃焼用空気の流量を調整する第２の流量調整器とを備え、制御器は、燃焼器の着火動作時の空気比が、燃焼装置の停止時における燃焼器の着火動作時の空気比よりも低下するよう、第１の流量調整器及び第２の流量調整器の少なくともいずれか一方を制御してもよい。
【００５６】
実施の形態２の発電システムの運転方法は、燃焼器の着火動作時の空気比が、燃焼装置の停止時における燃焼器の着火動作時の空気比よりも低下するよう、燃焼器へ供給される燃料ガスの量及び燃焼器へ供給される燃焼用空気の量の少なくともいずれか一方を制御するステップを備えてもよい。
【００５７】
かかる構成により、燃焼装置の動作状態に拘わらず、燃焼器の着火動作時の空気比を一定にする場合に比べ、燃焼器の着火動作時の空気比が低下し、燃料ガス濃度が濃くなるため、燃焼器の着火性がより向上する。
【００５８】
ここで、上記空気比は、燃焼器に供給される可燃性ガスを完全燃焼するのに必要な理論空気量に対する実際に燃焼器に供給される空気量の比を意味する。
【００５９】
本実施の形態の発電システムは、上記特徴以外は、実施の形態１及びその変形例の発電システムと同様に構成されていてもよい。
【００６０】
次に、本実施の形態の発電システム１０１について詳細に説明する。
【００６１】
図５は実施の形態２に係る発電システムの概略構成の一例を示すブロック図である。
【００６２】
図５に示すように、発電システム１０１は、第１の流量調整器７と第２の流量調整器８とを備える。上記以外の構成で図１及び図２と同一の符号である構成については、実施の形態１の発電システム１０１と同様に構成されているので、その説明を省略する。
【００６３】
第１の流量調整器７は、燃焼器３に供給する可燃性ガスの流量を調整する。第１の流量調整器７は、例えば、流量調整弁及びポンプのいずれか、もしくはこれらの組合わせで構成される。
【００６４】
第２の流量調整器８は、燃焼器に供給する燃焼用空気の流量を調整する。第２の流量調整器８は、例えば、流量調整弁及びポンプのいずれか、もしくはこれらの組合わせで構成される。
【００６５】
次に、以上のように構成された発電システム１０１の動作について説明する。
【００６６】
本実施の形態の発電システム１０１は、燃焼器３の着火動作において、制御器２２が、第１の流量調整器７及び第２の流量調整器８の少なくともいずれか一方を制御して、燃焼器３の着火動作時の空気比が、燃焼装置５の停止時における燃焼器３の着火動作時の空気比よりも低下するよう制御する。
【００６７】
具体的には、制御器２２が、第１の流量調整器７を制御して、燃焼器３に供給する可燃性ガスの流量を増加させ、空気比を低下させる第１の制御、及び制御器２２が、第２の流量調整器８を制御して、燃焼器３に供給する燃焼用空気の流量を低下させ、空気比を増加させる第２の制御の少なくともいずれか一方を実行する。
【００６８】
空気比の低下により、燃焼器に供給される燃焼用空気に対する可燃性ガスの濃度が上昇するため、燃焼器３の着火性が向上し、好ましい。
【００６９】
なお、燃焼器３の着火動作における上記制御以外は、実施の形態１及びその変形例のいずれかと、その動作フローは同じであるので説明を省略する。
【００７０】
（実施の形態３）
実施の形態３の発電システムは、制御器は、燃焼器の着火動作時において、表示器の画面に燃焼装置の出力を低下させている旨を表示させる。
【００７１】
かかる構成により、燃焼器の着火動作時に熱負荷において所望の熱量が得られなくても、使用者が誤って異常と判断しなくなるので好ましい。
【００７２】
本実施の形態の発電システムは、上記特徴以外は、実施の形態１−２及び変形例のいずれかの発電システムと同様に構成されていてもよい。
【００７３】
次に、本実施の形態の発電システム１０１について詳細に説明する。
【００７４】
図６は実施の形態３に係る発電システムの概略構成の一例を示すブロック図である。
【００７５】
図６に示すように、発電システム１０１は、表示器１０を備える。上記以外の構成で図１、図２、及び図５と同一の符号である構成については、実施の形態１の発電システム１０１と同様に構成されているので、その説明を省略する。
【００７６】
表示器１０は、画面を有し、この画面に所定の情報を表示する。表示器１０は、画面を有する表示器であればいずれの形態であってもよく、発電システム１０１のリモコン等が例示される。
【００７７】
本実施の形態の発電システム１０１は、燃焼器３の着火動作において燃焼装置５の出力を低下させているときに、制御器２２が、表示器１０の画面にその旨を表示させるよう制御する。表示形式は、任意であるが、例えば、テキスト、またはコード等で燃焼器３の着火動作のため燃焼装置５の出力を低下させている旨を表示させる。なお、燃焼装置５の出力の低下には、燃焼装置５の燃焼量の低下及び燃焼装置５の停止の少なくともいずれか一方が含まれる。
【００７８】
図７は実施の形態３に係る発電システムの表示器の表示例を示す図である。
【００７９】
燃焼器３の着火動作時に、制御器２２により着火動作前よりも燃焼装置５の燃焼量を低下させているときは、図７（ａ）に示すように表示器１０の画面に、その旨が表示される。また、燃焼器３の着火動作時に、制御器２２により燃焼装置５を停止させているときは、図７（ｂ）に示すように表示器１０の画面に、その旨が表示される。
【００８０】
なお、上記例では、表示器１０が発電システム１０１に含まれない形態であっても構わない。この場合、表示器１０は、燃焼装置５のリモコン、テレビ受像機等が例示される。
【００８１】
上記説明から、当業者にとっては、多くの改良や他の実施形態が明らかである。従って、上記説明は、例示としてのみ解釈されるべきである。
【産業上の利用可能性】
【００８２】
本発明に係る発電システム及びその運転方法は、燃焼器を内部に有するとともに、燃焼器からの燃焼排ガスが、燃焼装置の燃焼排ガスと合流するよう構成された発電システムにおいて、従来よりも燃焼器の着火性が向上するので、有用である。
【符号の説明】
【００８３】
１    発電ユニット
３    燃焼器
４    第１の排ガス流路
５    燃焼装置
６    第２の排ガス流路
７    第１の流量調整器
８    第２の流量調整器
１０    表示器
１１    ダクト
２１    合流箇所
２２    制御器
１０１    発電システム
【図１】
2012159274.tif 000003
【図２】
2012159274.tif 000004
【図３】
2012159274.tif 000005
【図４】
2012159274.tif 000006
【図５】
2012159274.tif 000007
【図６】
2012159274.tif 000008
【図７】
2012159274.tif 000009